(57)【要約】【課題】多数枚の硬貨の総額が正確且つ迅速に読み取り可能で、作業労力や作業時間を軽減することができるとともに、硬貨の収納および取出作業を簡単容易に行うことができる操作性に優れた硬貨計数器を提供する。【解決手段】硬貨収納部３０を基台１０の上面に覆設した形状の本体１と、硬貨Ｍの種類毎の総額を読み取るための計数表示体２とを備えた硬貨計数器であって、該硬貨収納部３０は、断面Ｖ字型の樋状に形成された単位収納部３０Ａ・・・３０Ｆが硬貨の種類数に応じて横列状に並設され、且つ各単位収納部の両側壁に硬貨５０枚用の計数ポイント３１と硬貨１００枚用の計数ポイント３２を表示して設けられ、また計数表示体２は各種類の硬貨Ｍに対応して形成された複数個の単位表示体を一組として成るもので、各単位表示体２０Ａ・・・２０Ｆが各単位収納部３０Ａ・・・３０Ｆの上面を摺動可能に構成する。【選択図】図１
2010282601.tif 000002
【特許請求の範囲】
【請求項１】
多数枚の硬貨が最下部規制辺に隣接する位置から種類別に順次積載される形状の硬貨収納部を、所定角度の傾斜状に設定可能な基台上に覆設して成る本体と、該硬貨収納部に収納される各硬貨の総額を読み取るための計数表示体とを備えた硬貨計数器であって、前記硬貨収納部は、断面Ｖ字型の樋状に形成された単位収納部が硬貨の種類数に応じて横列状に並設され、且つその各単位収納部の両側壁に硬貨５０枚用の計数ポイントと硬貨１００枚用の計数ポイントをそれぞれ表示した形状に設けられ、さらに前記計数表示体は各種類の硬貨に対応して形成された複数個の単位表示体を一組として成るもので、該単位表示体は、その上面に金額表示部が設けられた断面逆三角形の角柱状に形成されるとともに、スライド手段を介して、前記各単位収納部の上面を摺動可能に構成されたことを特徴とする硬貨計数器。
【請求項２】
上記した硬貨収納部は、各単位収納部に設けた硬貨５０枚用の計数ポイントを横一列状に配置するとともに、その硬貨５０枚用の計数ポイントから起算して収納硬貨５１枚目の上方位置に硬貨１００枚用の計数ポイントを配置し、また硬貨５０枚用の計数ポイントから起算して収納硬貨５１枚目の下方位置と基台の前板との間に指入れ溝付きの堤体を形成し、その堤体の内側面を最下部規制辺とした構成とすることを特徴とする請求項１に記載の硬貨計数器。
【請求項３】
上記したスライド手段を、各単位収納部の中央底部に形成した案内溝と、各単位表示体の下端に取付けた摺動ピンとにより構成したことを特徴とする請求項１に記載の硬貨計数器。
【発明の詳細な説明】
【技術分野】
【０００１】  本発明は、コンビニエンスストアや小売店などのように多数の小銭硬貨を取り扱う事業者等が、その小銭硬貨を種類別に分類して硬貨の総額を集計する場合に使用する硬貨計数器に関するものである。
【背景技術】
【０００２】  従来、小銭硬貨を種類別に分類して総額を集計する硬貨計数器として、６種類の硬貨を収納するべく６区画に区分された傾斜状の凹所内に、計数用の目盛線と硬貨の総額を示す数字を表示し、積載された最上部の硬貨に隣接する数値がその硬貨の総額を示すように構成されたコインカウンターが提案されている（特許文献１）。また上記特許文献１とほぼ同様な構造の収納凹部の両側壁に硬貨を支持するための収納支持部を形成し、所定枚数の硬貨を前記収納支持部に一括して収納するように構成することにより、硬貨の厚みにバラツキがあっても、計数に誤差を生じることなく正確に集計することができる硬貨計数収納器も開示されている（特許文献２）。
【特許文献１】実公平４−３１６４５号公報
【特許文献２】実用新案登録第３０８１５１５号公報
【発明の開示】
【発明が解決しようとする課題】
【０００３】  しかしながら、上記した特許文献１のコインカウンターは、収納した硬貨が内部で横ズレする可能性があるので集計金額に誤差を生じ易く、また略コ字状の幅狭な凹所に硬貨を収納するようになっているので、特に手指の大きい人が作業をする場合に、集計後の硬貨を取出し難いという大きな不具合があった。【０００４】  また上記した特許文献２の硬貨計数収納器は、所定枚数の硬貨を安定して収納するようになっており、集計金額の誤差を生じ難いという長所はあるが、収納凹部の前後に傾斜状の指入れ用凹部が設けられているので、硬貨を該凹部内に誤って落としてしまい、凹部の形状に沿った傾斜状に嵌まり込んだ場合に、その硬貨の拾い出しに手間がかかるという顕著な欠点があった。【０００５】  さらに両特許文献の考案には、以下に述べるような共通した問題点を指摘することができる。すなわち両特許文献の考案は、集計対象の硬貨の総額を表す数字が凹所（または収納凹部）の底部に表示されているので、作業者が金額を確認しようとする場合に、その凹所（または収納凹部）内を覗き込んで小さな数字を読み取らねばならず、非常に煩雑なために数値を見誤りやすいという問題点があるばかりでなく、一度の作業で収納できる硬貨の枚数が５０枚に限定されていて、集計すべき硬貨の枚数が多い場合には同一作業を繰り返さねばならないので、多大な労力と時間を必要とするという極めて重大な問題点があった。【０００６】  そこで本発明は、多数枚の硬貨の総額を正確且つ迅速に読み取り可能とするとともに、一度に計数可能な硬貨枚数を、各硬貨の種類毎にそれぞれ１００枚とすることにより、作業労力や作業時間を軽減することができ、さらには硬貨の収納および取出作業を簡単容易に行うことができる操作性に優れた硬貨計数器の提供を目的とするものである。
【課題を解決するための手段】
【０００７】  上記した目的を達成するため、本発明は以下のような技術的手段を講じるものである。
すなわち請求項１に記載の本発明は、多数枚の硬貨が最下部規制辺に隣接する位置から種類別に順次積載される形状の硬貨収納部を、所定角度の傾斜状に設定可能な基台上に覆設して成る本体と、該硬貨収納部に収納される各硬貨の総額を読み取るための計数表示体とを備えた硬貨計数器であって、前記硬貨収納部は、断面Ｖ字型の樋状に形成された単位収納部が硬貨の種類数に応じて横列状に並設され、且つその各単位収納部の両側壁に硬貨５０枚用の計数ポイントと硬貨１００枚用の計数ポイントをそれぞれ表示した形状に設けられ、また前記計数表示体は各種類の硬貨に対応して形成された複数個の単位表示体を一組として成るもので、該単位表示体は、その上面に金額表示部が設けられた断面逆三角形の角柱状に形成されるとともに、スライド手段を介して、前記各単位収納部の上面を摺動可能に構成された硬貨計数器である。【０００８】  また請求項２に記載の本発明は、請求項１に記載の硬貨計数器において、上記した硬貨収納部は、各単位収納部に設けた硬貨５０枚用の計数ポイントを横一列状に配置するとともに、その硬貨５０枚用の計数ポイントから起算して収納硬貨５１枚目の上方位置に硬貨１００枚用の計数ポイントを配置し、さらに硬貨５０枚用の計数ポイントから起算して収納硬貨５１枚目の下方位置と基台の前板との間に指入れ溝付きの堤体を形成し、その堤体の内側面を最下部規制辺とした構成とするものである。【０００９】  さらに請求項３に記載の本発明は、請求項１に記載の硬貨計数器において、上記したスライド手段を、各単位収納部の中央底部に形成した案内溝と、各単位表示体の下端に取付けた摺動ピンとにより構成したものである。
【発明の効果】
【００１０】  本発明は、硬貨を順次重ねて積載する構造の硬貨収納部を、上方が開放された断面Ｖ字型の樋状に形成するとともに、その硬貨収納部の一方側端部に指入れ溝を形成してあるので、作業者の手指の大きさに係わりなく硬貨の収納および取出しを簡易迅速に行うことができるという効果があり、また計数表示体の上面に表示された金額が大きく見易い形態で表示されており、その表示された数字を読み取るのみの作業で、硬貨の種類別総額を即座に計数可能であるという極めて操作性に優れた効果を奏するものである。【００１１】  また本発明においては、最下部規制辺と各単位表示体の間に計数対象の硬貨を挟み、その硬貨の総額を読み取るようになっているので、収納された硬貨が位置ズレを起こすようなことがなく、正確な計数を行うことができるという長所があり、さらには種類の異なる硬貨がそれぞれ５０枚ずつ積載されると、その５０枚目の位置が横一列状に並ぶような構造になっているので、５０枚毎の硬貨の確認や５０枚毎の硬貨の包装などを未経験者でも誤りなく行うことができるという長所も備えている。【００１２】  さらに本発明は、種類別の硬貨を一度に１００枚まで積載することができるので、従来の計数器と比較して労力や時間を大幅に軽減することができるという顕著な特長があり、また構造が簡単なために安価な製品を市場に供給することができるという産業上の利点も有している。
【発明を実施するための最良の形態】
【００１３】  以下に本発明の最良の実施形態を図面に基いて説明する。本発明は基台１０と硬貨収納部３０から成る本体１と、別体に形成される一組の計数表示体２を備えたものであり、前記硬貨収納部３０に収納される硬貨としては、現在流通している６種類（５００円，１００円，５０円，１０円，５円，１円）を対象とするものである。なお流通する硬貨の種類に増減があった場合は、その硬貨の増減に応じて硬貨収納部および計数表示体を変更するものとする。なおまた図１は本発明に成る硬貨計数器の全体構造を示す一部分解斜視図であり、図２は図１のＡ−Ａ線断面図である。また図３は硬貨収納部の形状を示すために本体１を横方向に切断した状態の端面図であり、図４は図１のＢ−Ｂ線断面図である。さらに図５は一組の計数表示体における上面の表示状態を硬貨の種類毎に示す一部省略拡大説明図であり、図６は計数ポイントにおける金額の総額の読み取り方法を示す要部拡大説明図である。【００１４】  本体１の下部を構成する基台１０は、図１および図２に示すように、方形の平板状に設けた底板１２と、その底板１２の前端に立設された前板１１と、底板１２の後端に立設された後板１３と、底板１２の後方下部において蝶番状の金具１７を介して折り畳み自在に取付けられた支持脚１５とにより成るものである。該支持脚１５は、その後方に隣接して取付けられた衝止片１６によってそれ以上の後方への回動を阻止されるようになっているので、使用時には、本体１を所定の角度（例えば２０°程度）に傾斜した状態で維持可能となっている。また後板１３は、後述する一組の計数表示体２のそれぞれが本体１の後方へ突出状に移動することが可能で、且つ所定位置で後方移動を阻止することができるように、前板１１よりも高さを小さく形成するとともに、前記計数表示体２の通過位置に小さなＶ字状の切欠部を設けている。この切欠部は、後述する計数表示体２の摺動ピン２２を衝止可能となっているので、ストッパー１４の役目も兼ねるものである。【００１５】  基台１０の上面を覆設するように形成された硬貨収納部３０は、６種類の硬貨を個別に収納するべく、同一形状に形成した６区画の単位収納部を有している。すなわち図１の硬貨収納部３０における左端が５００円硬貨用の単位収納部３０Ａで、その右側が１００円硬貨用の単位収納部３０Ｂというように，右方向に向けて５０円硬貨用の単位収納部３０Ｃ、１０円硬貨用の単位収納部３０Ｄ，５円硬貨用の単位収納部３０Ｅ、１円硬貨用の単位収納部３０Ｆが横一列状に並設された形状となっている。【００１６】  各単位収納部３０Ａ・・・３０Ｆは、図１および図３に示すように、それぞれ断面Ｖ字型の樋状に形成されており、そのＶ字型の底部（最下部）には、後述する各単位表示体をスライドさせるための案内溝３３が設けられている。なお本実施形態では、この硬貨収納部３０の形成手段として以下のような方法を採用している。まず木材等を用いて三角形の角柱状を成す芯体３７を７個形成した後、その７個の芯体３７を基台１０の上面に横一列状に固着し、さらに逆Ｖ字状に形成した７枚の化粧板３８を、僅かな隙間を存して芯体３７の上面に重ねることにより、その各化粧板３８間の空隙が案内溝３３となるよう��形成するものである。なおまたこの７個の芯体を上述のような個別に形成するのではなく、連続した一体状に形成するようにしてもよい。また単位収納部としての機能に直接的に関与しない左右の両端部を、図示のような傾斜状ではなく垂直状に設けるようにしても差し支えない。【００１７】  各単位収納部３０Ａ・・・３０Ｆの両側壁における相対向する位置には、図１に示すように、硬貨５０枚用の計数ポイント３１と硬貨１００枚用の計数ポイント３２が表示されている。該計数ポイント３１は、硬貨収納部３０の中央よりもやや下方位置に横一列状に表示されていて、その表示位置では、種類の異なるすべての硬貨Ｍの５０枚目が横一線となるような構造となっている。また硬貨１００枚用の計数ポイント３２は、前記計数ポイント３１から起算して各硬貨の５１枚目（全体の計数としては各硬貨の１０１枚目）に該当する上方位置に設けられるものであるが、この場合は、硬貨Ｍの種類によって厚さが異なるので、その表示位置はそれぞれ異なっている。【００１８】  なお本実施形態では、各計数ポイント３１，３２の位置に小孔を穿設し、その各小孔内に赤色の光沢を有するガラス玉やビーズ玉などを嵌め入れてそれぞれの計数ポイントを形成している。したがって見た目に美麗で観者に好印象を与えるものであるが、本発明における計数ポイントの表示はこのような形態に限定するものではないので、例えば、単なる罫線を表示するようにしても差し支えない。【００１９】  また上記硬貨５０枚用の計数ポイント３１から起算して、各硬貨の５１枚目に該当する下方位置に、硬貨Ｍの第１枚目を所定位置に収納するための最下部規制辺３５が必要であるが、本実施形態では、この最下部規制辺３５の役割を硬貨収納部３０上に重合された堤体３４が担うようになっている。すなわち該堤体３４は、図１，図２，図４に示すように、最下部規制辺３５が設定される位置と基台１０の前板１１の間に設けられたもので、その上端が前板１１の上端および硬貨収納部３０の頂上部と同一平面状に形成され、且つその中央部にＵ字型またはＶ字型の指入れ溝３６が形成されている。このように形成された堤体３４は、外側面が前板１１に密着するとともに、内側面が最下部規制辺３５の役目を担うようになっており、また収納した硬貨の取出し時には、指入れ溝３６が利用できるような構造となっている。したがって前板１１と最下部規制辺３５間の長さは、図１に示すように、それぞれの硬貨の厚みに応じて異なっている。【００２０】  次に、計数表示体２について説明する。この計数表示体２は、図１に示すように、前述した各単位収納部３０Ａ・・・３０Ｆの上面にそれぞれ配置されて成るもので、収納された硬貨Ｍのそれぞれに対応する単位表示体２０Ａ（５００円硬貨に対応），単位表示体２０Ｂ（１００円硬貨に対応），単位表示体２０Ｃ（５０円硬貨に対応），単位表示体２０Ｄ（１０円硬貨に対応），単位表示体２０Ｅ（５円硬貨に対応），単位表示体２０Ｆ（１円硬貨に対応）の６個が、一組の計数表示体を構成するものである。【００２１】  前記各単位表示体２０Ａ・・・２０Ｆは、断面逆三角形の角柱状に形成されており、その上面に各硬貨の５０枚までの総額を表示した金額表示部２３を有す���とともに、その最下部位に複数本（本実施形態では前寄り位置と中央位置に配置した２本）の摺動ピン２２が取付けられている。また各単位表示体２０Ａ・・・２０Ｆは、図１で示した１円硬貨用の単位表示体２０Ｆのように、本体１とは別体に形成されていて、製造時における最終段階で組み付けられるようになっている。なおこのように形成された計数表示体２のＶ字状側部は、前記硬貨収納部３０のＶ字状の壁面と同一角度に形成されるものとする。【００２２】  このような形状の各単位表示体２０Ａ・・・２０Ｆにおいて、硬貨１００枚用の計数ポイント３２を利用して積載硬貨の総額の読み取りを行う際に、硬貨Ｍの枚数が１００枚または１００枚に近い場合では、図１における単位表示体２０Ｅで示すように、その後半部を本体１の外方に突出させる必要がある。この場合には、前記２本の摺動ピン２２のうちの中央位置の摺動ピンが、前述した後板１３のストッパー１４に衝止して、それ以上の後方移動が阻止されるので、その単位表示体（図１では単位表示体２０Ｅ）の本体１からの離脱を防止可能な構成となっている。【００２３】  次に、積載硬貨の総額を読み取るために、各単位表示体２０Ａ・・・２０Ｆの上面に表示された金額表示部２３について説明する。この金額表示部２３は、図５に示すように、上部位に表示された数字によって計数対象硬貨の種類が指定され、またその硬貨の種類を示す数字の右側隅部につまみ２１が取付けられており、さらに中央の空白領域を間に存して左側と右側に計数表示領域を設けて成るものである。またそれぞれの計数表示領域に表示された長方形状の目盛（以下、目盛）と金額を表す数字が、硬貨１枚分の間隔を介して互い違いに表示されるようになっているので、以下にこの表示形態についてさらに具体的に説明する。【００２４】  図５（イ）は、５００円用の単位表示体２０Ａの金額表示部２３を示すもので、左側の計数表示領域の最上位に、目盛および「５００」という数字によって、５００円硬貨１枚分の金額が表示されており、また硬貨１枚分の間隔を存して、右側の計数表示領域の最上位に、目盛および「１０００」という数字によって、５００円硬貨２枚分の金額が表示されている。このようにして、５００円ずつ増額された金額が下方に向けて互い違いに表示されていき、右側の計数表示領域の最下段の隅角部に目盛が表示され、且つ５００円硬貨が５０枚積載されたことを示す「２５０００」の数字が表示されている。なお本実施形態では、５０００円，１００００円というような区切りの数字および区切りの目盛を赤色で表示するようになっている。なおまた各目盛はそれぞれ右端または左端に表示されるものとする。【００２５】  図５（ロ）は、１００円用の金額表示部２３を示しており、以下同様に、５０円用（ハ）、１０円用（ニ）、５円用（ホ）、１円用（ヘ）の金額表示部２３が示されている。これらの各金額表示部２３も、上記５００円用の場合と同様な表示方法が採用されているので、詳しい説明は省略する。【００２６】  続いて、図６を参照しながら計数対象となる硬貨Ｍの総額の読み取り方法について説明する。図６（イ）は、図１における単位収納部３０Ａに収納された５００円硬貨Ｍの計数方法を示している。この場合に、まず始めの作業として、積載された硬貨の最上位が硬貨５０枚用の計数ポイント３１よりも下方に位置しているので、集計する硬貨が５０枚以下であることを確認する。次に計数ポイントの設定状態を見ると、左側に位置する計数ポイント３１は「１８５００円」を示す目盛を指しており、右側に位置する計数ポイント３１は「１８０００円」と「１９０００円」を示す２箇所の目盛の中間を指しているので、この５００円硬貨の総額は「１８５００円」と読み取ることができる。【００２７】  図６（ロ）は、図１における単位収納部３０Ｂに収納された１００円硬貨Ｍの計数方法を示している。この場合は、硬貨Ｍの最上位が計数ポイント３１よりも上方に位置しているので、集計する硬貨は５０枚以上である。次に計数ポイントの設定状態を見ると、左側に位置する計数ポイント３２は「１９００円」と「２１００円」を示す２箇所の目盛の中間を指しており、右側に位置する計数ポイント３２は「２０００円」の目盛を指しているので、この１００円硬貨の総額は「２０００円」と読み取ることができるが、この数値には硬貨５０枚分の金額（５０００円）が加算されていないので、この場合における積載硬貨の総額は、硬貨５０枚分の金額を足し算して「７０００円」ということになる。【００２８】  本発明は、以上のように構成された硬貨計数器であり、これを使用する場合は、次のような手順で作業を行うものである。
まず基台１０の支持脚１５を伸ばして本体１を傾斜状に設定する。次に計数対象の硬貨Ｍを、最下位規制辺３５を始点として順次積載していき、硬貨Ｍの積載が終了した後に、対応する単位表示体をスライドさせて硬貨Ｍの最上部に密着させる。このような操作により硬貨Ｍは位置ズレすることなく整然と収納されるので、計数ポイント３１または計数ポイント３２を利用して硬貨の総額を読み取るようにする。なお計数対象の硬貨が１００枚以上ある場合は上記操作を繰り返して計数金額を合算するものとするが、図１で示した本体１を延長して、硬貨１５０枚用や２００枚用の計数器を形成することも可能である。なおまた小規模小売店などでは、レジスターに代えて使用することも可能である。
【図面の簡単な説明】
【００２３】
【図１】本発明に成る硬貨計数器を示す一部分解斜視図である。
【図２】図１のＡ−Ａ線断面図である。
【図３】硬貨収納部の形状を示す端面図である。
【図４】図１のＢ−Ｂ線断面図である。
【図５】金額表示部の表示状態を示す一部省略拡大説明図である。
【図６】金額の総額の読み取り方法を示す要部拡大説明図である。
【符号の説明】
【００２４】      １  本体
２  計数表示体
１０  基台
１１  前板
１２  底板
１３  後板
１４  ストッパー
２０Ａ・・・２０Ｆ  単位表示体
２１  つまみ
２２  摺動ピン
２３  金額表示部
３０  硬貨収納部
３０Ａ・・・３０Ｆ  単位収納部
３１，３２  計数ポイント
３３  案内溝
３４  堤体
３５  最下位規制辺
３６  指入れ溝
【図１】
2010282601.tif 000003
【図２】
2010282601.tif 000004
【図３】
2010282601.tif 000005
【図４】
2010282601.tif 000006
【図５】
2010282601.tif 000007
【図６】
2010282601.tif 000008